(57)【要約】【課題】埋設白ガス内管の改善状況をマクロ（ガス事業者全体の状況）とミクロ（個別の供給管の状況）の双方がリアルタイムで把握できる埋設白ガス内管の管理技術を提供する。【解決手段】埋設白ガス内管の管理システム１において、第１画面から入力された埋設白ガス内管の供給先登録情報を建物管理情報とあわせて第１テーブルに登録する供給先登録情報管理部１０と、第２画面から入力された埋設白ガス内管の改善折衝情報を第２テーブルに登録する改善折衝情報管理部２０と、第３画面に、第１テーブルに登録された供給先登録情報と、第２テーブルに登録された改善折衝情報とに基づいて、埋設白ガス内管の内管本数、改善済み・改善未の状況、および改善折衝計画に対する進捗の状態を表示する進捗情報管理部３０と、を有する。【選択図】図１
2012093937.tif 000002
【特許請求の範囲】
【請求項１】
第１画面から入力された埋設白ガス内管の供給先登録情報を建物管理情報とあわせて第１テーブルに登録する供給先登録情報管理部と、
第２画面から入力された埋設白ガス内管の改善折衝情報を第２テーブルに登録する改善折衝情報管理部と、
第３画面に、前記第１テーブルに登録された供給先登録情報と、前記第２テーブルに登録された改善折衝情報とに基づいて、前記埋設白ガス内管の内管本数、改善済み・改善未の状況、および改善折衝計画に対する進捗の状態を表示する進捗情報管理部と、を有することを特徴とする埋設白ガス内管の管理システム。
【請求項２】
請求項１記載の埋設白ガス内管の管理システムにおいて、
前記供給先登録情報には、灯外内管の有無に関する情報と埋設白ガス内管の有無に関する情報とを含み、
前記供給先登録情報管理部は、前記第１画面のうちの第１Ａ画面から入力された前記灯外内管の有無に関する情報を前記第１テーブルのうちの第１Ａテーブルに登録し、前記第１画面のうちの第１Ｂ画面から入力された前記埋設白ガス内管の有無に関する情報を前記第１テーブルのうちの第１Ｂテーブルに登録し、
前記改善折衝情報には、改善折衝計画に関する情報と折衝履歴に関する情報とを含み、
前記改善折衝情報管理部は、前記第２画面から入力された前記改善折衝計画に関する情報を前記第２テーブルのうちの第２Ａテーブルに登録し、前記第２画面から入力された前記折衝履歴に関する情報を前記第２テーブルのうちの第２Ｂテーブルに登録し、
前記進捗情報管理部は、前記第３画面に、前記第１Ａテーブルに登録された前記灯外内管の有無に関する情報と、前記第１Ｂテーブルに登録された前記埋設白ガス内管の有無に関する情報と、前記第２Ａテーブルに登録された前記改善折衝計画に関する情報と、前記第２Ｂテーブルに登録された前記折衝履歴に関する情報とに基づいて、前記埋設白ガス内管の内管本数、改善済み・改善未の状況、および改善折衝計画に対する進捗の状態を表示する、ことを特徴とする埋設白ガス内管の管理システム。
【請求項３】
請求項２記載の埋設白ガス内管の管理システムにおいて、
前記灯外内管の有無に関する情報は、供給先の状態と、灯外内管の状態とから判断し、
前記埋設白ガス内管の有無に関する情報は、灯外内管の管種・材質と、灯外内管の管区分とから判断する、ことを特徴とする埋設白ガス内管の管理システム。
【請求項４】
第１画面から入力された埋設白ガス内管の供給先登録情報を建物管理情報とあわせて第１テーブルに登録する供給先登録情報管理部と、
第２画面から入力された埋設白ガス内管の改善折衝情報を第２テーブルに登録する改善折衝情報管理部と、
第３画面に、前記第１テーブルに登録された供給先登録情報と、前記第２テーブルに登録された改善折衝情報とに基づいて、前記埋設白ガス内管の内管本数、改善済み・改善未の状況、および改善折衝計画に対する進捗の状態を表示する進捗情報管理部と、を有する埋設白ガス内管の管理システムによる埋設白ガス内管の管理方法であって、
前記供給先登録情報には、灯外内管の有無に関する情報と埋設白ガス内管の有無に関する情報とを含み、
前記供給先登録情報管理部により、前記第１画面のうちの第１Ａ画面から入力された前記灯外内管の有無に関する情報を前記第１テーブルのうちの第１Ａテーブルに登録し、前記第１画面のうちの第１Ｂ画面から入力された前記埋設白ガス内管の有無に関する情報を前記第１テーブルのうちの第１Ｂテーブルに登録し、
前記改善折衝情報には、改善折衝計画に関する情報と折衝履歴に関する情報とを含み、
前記改善折衝情報管理部により、前記第２画面から入力された前記改善折衝計画に関する情報を前記第２テーブルのうちの第２Ａテーブルに登録し、前記第２画面から入力された前記折衝履歴に関する情報を前記第２テーブルのうちの第２Ｂテーブルに登録し、
前記進捗情報管理部により、前記第３画面に、前記第１Ａテーブルに登録された前記灯外内管の有無に関する情報と、前記第１Ｂテーブルに登録された前記埋設白ガス内管の有無に関する情報と、前記第２Ａテーブルに登録された前記改善折衝計画に関する情報と、前記第２Ｂテーブルに登録された前記折衝履歴に関する情報とに基づいて、前記埋設白ガス内管の内管本数、改善済み・改善未の状況、および改善折衝計画に対する進捗の状態を表示する、ことを特徴とする埋設白ガス内管の管理方法。
【請求項５】
第１画面から入力された埋設白ガス内管の供給先登録情報を建物管理情報とあわせて第１テーブルに登録する供給先登録情報管理部と、
第２画面から入力された埋設白ガス内管の改善折衝情報を第２テーブルに登録する改善折衝情報管理部と、
第３画面に、前記第１テーブルに登録された供給先登録情報と、前記第２テーブルに登録された改善折衝情報とに基づいて、前記埋設白ガス内管の内管本数、改善済み・改善未の状況、および改善折衝計画に対する進捗の状態を表示する進捗情報管理部と、を有する埋設白ガス内管の管理システムとしてコンピュータを機能させる埋設白ガス内管の管理プログラムであって、
前記供給先登録情報には、灯外内管の有無に関する情報と埋設白ガス内管の有無に関する情報とを含み、
前記供給先登録情報管理部により、前記第１画面のうちの第１Ａ画面から入力された前記灯外内管の有無に関する情報を前記第１テーブルのうちの第１Ａテーブルに登録し、前記第１画面のうちの第１Ｂ画面から入力された前記埋設白ガス内管の有無に関する情報を前記第１テーブルのうちの第１Ｂテーブルに登録し、
前記改善折衝情報には、改善折衝計画に関する情報と折衝履歴に関する情報とを含み、
前記改善折衝情報管理部により、前記第２画面から入力された前記改善折衝計画に関する情報を前記第２テーブルのうちの第２Ａテーブルに登録し、前記第２画面から入力された前記折衝履歴に関する情報を前記第２テーブルのうちの第２Ｂテーブルに登録し、
前記進捗情報管理部により、前記第３画面に、前記第１Ａテーブルに登録された前記灯外内管の有無に関する情報と、前記第１Ｂテーブルに登録された前記埋設白ガス内管の有無に関する情報と、前記第２Ａテーブルに登録された前記改善折衝計画に関する情報と、前記第２Ｂテーブルに登録された前記折衝履歴に関する情報とに基づいて、前記埋設白ガス内管の内管本数、改善済み・改善未の状況、および改善折衝計画に対する進捗の状態を表示する、ことを特徴とする埋設白ガス内管の管理プログラム。
【発明の詳細な説明】
【技術分野】
【０００１】
本発明は、ガス事業業務における埋設白ガス管の管理技術に関し、特に、埋設白ガス内管を管理するためのシステムおよび方法ならびにプログラムに関するものである。
【背景技術】
【０００２】
例えば、ガス事業業務における白ガス管（鋼管に亜鉛メッキをした旧式のガス管）は、土中に埋設すると次第に亜鉛メッキが溶け出し、鋼管の腐食でガス漏れが起こる危険がある。白ガス管は、昭和２０年代後半からその使用が始まり、昭和５０年代前半頃まで広く用いられ、現在でも相当量が残存している。消費者宅地内のガス管は、敷地の境界からメーターガス栓までを「灯外内管」、メーターガス栓から家屋内のガス栓までを「灯内内管」と言い、両方を合わせて「内管」と言う。
【発明の概要】
【発明が解決しようとする課題】
【０００３】
ところで、埋設白ガス管の改善工事を行う際には、家庭敷地内の内管は消費者の資産であるため、これらの内管は、ガス事業者に保安責任が課せられているため、ガス管の設置や変更の工事はガス事業者が行わなければならないが、資産は消費者のものである。従って、ガス事業者は消費者と費用負担などを折衝のうえ、土中での防食性を備えた代替製品への交換などの対策を実施している。
【０００４】
ガス事業者は、定期点検時に白ガス管の現状確認、消費者との改善折衝、代替製品への交換工事を実施しているが、ガス事業者が有する顧客情報管理システムにおいては、建物（構築物）の付属情報として、白ガス管を管理している形態が少なくない。
【０００５】
一方、ガス事業者の供給部門では、通常、マッピングシステムと呼ばれる電子地図上で白ガス管を管理しているが、顧客情報管理システムとマッピングシステムが有機的に連携しているケースは少ない。
【０００６】
そのため、白ガス管の改善折衝状況や対策状況が正確に把握できておらず、改善の実施漏れが散見されてきた。こうした管理上の不具合を解消し、消費者の安全性を確保する管理方式が必要となっていた。
【０００７】
そこで、本発明の代表的な目的は、埋設白ガス内管の改善状況をマクロ（ガス事業者全体の状況）とミクロ（個別の供給管の状況）の双方がリアルタイムで把握できる埋設白ガス内管の管理技術を提供することにある。
【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。
【００１０】
上記目的を達成するため、本発明では、顧客情報管理システムで保有する供給部門の情報に着目し、従来の建物ベースでの管理から供給管ベースでの管理に切替えた埋設白ガス内管の管理技術を提案するものである。
【００１１】
すなわち、埋設白ガス内管の管理システムにおいて、第１画面から入力された埋設白ガス内管の供給先登録情報を建物管理情報とあわせて第１テーブルに登録する供給先登録情報管理部と、第２画面から入力された埋設白ガス内管の改善折衝情報を第２テーブルに登録する改善折衝情報管理部と、第３画面に、第１テーブルに登録された供給先登録情報と、第２テーブルに登録された改善折衝情報とに基づいて、埋設白ガス内管の内管本数、改善済み・改善未の状況、および改善折衝計画に対する進捗の状態を表示する進捗情報管理部と、を有することを特徴とする。
【００１２】
より具体的には、供給先登録情報には、灯外内管の有無に関する情報と埋設白ガス内管の有無に関する情報とを含み、供給先登録情報管理部は、第１画面のうちの第１Ａ画面から入力された灯外内管の有無に関する情報を第１テーブルのうちの第１Ａテーブルに登録し、第１画面のうちの第１Ｂ画面から入力された埋設白ガス内管の有無に関する情報を第１テーブルのうちの第１Ｂテーブルに登録する。また、改善折衝情報には、改善折衝計画に関する情報と折衝履歴に関する情報とを含み、改善折衝情報管理部は、第２画面から入力された改善折衝計画に関する情報を第２テーブルのうちの第２Ａテーブルに登録し、第２画面から入力された折衝履歴に関する情報を第２テーブルのうちの第２Ｂテーブルに登録する。そして、進捗情報管理部は、第３画面に、第１Ａテーブルに登録された灯外内管の有無に関する情報と、第１Ｂテーブルに登録された埋設白ガス内管の有無に関する情報と、第２Ａテーブルに登録された改善折衝計画に関する情報と、第２Ｂテーブルに登録された折衝履歴に関する情報とに基づいて、埋設白ガス内管の内管本数、改善済み・改善未の状況、および改善折衝計画に対する進捗の状態を表示する。
【００１３】
また、本発明は、前記埋設白ガス内管の管理システムによる埋設白ガス内管の管理方法や、前記埋設白ガス内管の管理システムとしてコンピュータを機能させる埋設白ガス内管の管理プログラムにも適用することができる。
【発明の効果】
【００１４】
本願において開示される発明のうち、代表的なものによって得られる効果を簡単に説明すれば以下のとおりである。
【００１５】
すなわち、本発明によれば、埋設白ガス内管の改善状況をマクロ（ガス事業者全体の状況）とミクロ（個別の供給管の状況）の双方がリアルタイムで把握できるようになる。これにより、改善折衝中の物件が明確になることにより、ガス事業者としてのｔｏ  ｄｏを明確にすることができる。ひいては、ガス漏れのリスクが回避でき、消費者の安全性確保に寄与することができる。
【図面の簡単な説明】
【００１６】
【図１】本発明の一実施形態における埋設白ガス内管の管理システムの構成および処理の一例を示す図である。
【図２】図１において、月別白ガス内管改善進捗状況一覧表照会画面の埋設白ガス内管の『未対策白ガス管』対象条件の一例を示す図である。
【図３】図１において、月別白ガス内管改善進捗状況一覧表照会画面の埋設白ガス内管の『未対策白ガス管』対象条件の内訳で、条件１の内容の一例を示す図である。
【図４】図１において、月別白ガス内管改善進捗状況一覧表照会画面の埋設白ガス内管の『未対策白ガス管』対象条件の内訳で、条件２の内容の一例を示す図である。
【図５】図１において、月別白ガス内管改善進捗状況一覧表照会画面の埋設白ガス内管の『未対策白ガス管』対象条件の内訳で、条件３の内容の一例を示す図である。
【図６】図１において、月別白ガス内管改善進捗状況一覧表照会画面の埋設白ガス内管の『対策済白ガス管』対象条件の一例を示す図である。
【図７】図１において、月別白ガス内管改善進捗状況一覧表照会画面の埋設白ガス内管の『対策済白ガス管』対象条件の内訳で、条件０の内容の一例を示す図である。
【図８】図１において、月別白ガス内管改善進捗状況一覧表照会画面の埋設白ガス内管の『対策済白ガス管』対象条件の内訳で、条件１の内容の一例を示す図である。
【図９】図１において、月別白ガス内管改善進捗状況一覧表照会画面の埋設白ガス内管の『対策済白ガス管』対象条件の内訳で、条件２の内容の一例を示す図である。
【図１０】図１において、月別白ガス内管改善進捗状況一覧表照会画面の埋設白ガス内管の『対策済白ガス管』対象条件の内訳で、条件３の内容の一例を示す図である。
【発明を実施するための形態】
【００１７】
以下、本発明の実施形態を図面に基づいて詳細に説明する。なお、実施形態を説明するための全図において、同一の部材には原則として同一の符号を付し、その繰り返しの説明は省略する。
【００１８】
＜本発明の一実施形態の概要＞
本発明の一実施形態では、従来はガス事業者が有する顧客情報管理システムで保有する供給部門の情報に着目し、従来の建物ベースでの管理から供給管ベースでの管理に切替えた埋設白ガス内管の管理技術（管理システム、管理方法、管理プログラム）を実現するものである。
【００１９】
本発明者の検討によれば、供給部門の情報とは、大きくは灯外内管の有無と埋設白ガス内管の有無に分類される。灯外内管の有無は、供給先（ガスメーターの設置場所）の状態（撤去区分）と灯外内管の状態（撤去区分）から判断することが可能であることを導き出した。また、埋設白ガス内管の有無は、灯外内管の管種・材質と灯外内管の管区分から判断することが可能であることを導き出した。これらの情報をもとに、マッピングシステムに頼らなくとも埋設白ガス内管の改善すべき状態が把握できることになる。
【００２０】
次に、埋設白ガス内管の改善すべき状態に対して、改善計画を付加し、さらには過去から現在までの改善折衝記録をクロスさせることによって、計画に対する進捗が正確に把握できるようになる。ここに至って、最も重要な未対策の案件が全て棚卸しできることとなり、計画の細分化が可能となる。
【００２１】
埋設白ガス内管は、約２０年で確実に経年劣化すると言われているが、従来は優先順位が正確に設定されていなかった。供給管ベースでの管理に切替えることにより、埋設年月日まで生きた情報となるので、管理の高度化が実現可能となる。また、各種統計機能を実装することで、作業効率の向上に寄与することも可能である。
【００２２】
以上の本発明の一実施形態の概要に基づいた、本発明の一実施形態における埋設白ガス内管の管理システムを、以下において図１〜図１０を用いて説明する。
【００２３】
＜埋設白ガス内管の管理システムの構成および処理＞
図１は、本発明の一実施形態における埋設白ガス内管の管理システムの構成および処理の一例を示す図である。
【００２４】
埋設白ガス内管の管理システム１は、第１画面から入力された埋設白ガス内管の供給先登録情報を建物管理情報とあわせて第１テーブルに登録する供給先登録情報管理部１０と、第２画面から入力された埋設白ガス内管の改善折衝情報を第２テーブルに登録する改善折衝情報管理部２０と、第３画面に、第１テーブルに登録された供給先登録情報と、第２テーブルに登録された改善折衝情報とに基づいて、埋設白ガス内管の内管本数、改善済み・改善未の状況、および改善折衝計画に対する進捗の状態を表示する進捗情報管理部３０などから構成される。
【００２５】
供給先登録情報管理部１０は、第１画面のうちの第１Ａ画面である供給管登録画面・灯外内管登録画面１１、第１テーブルのうちの第１Ａテーブルである供給先の供給管テーブル１２、第１画面のうちの第１Ｂ画面である供給管材質登録画面１３、第１テーブルのうちの第１Ｂテーブルである供給管材質テーブル１４などを含み、さらに、供給管登録画面・灯外内管登録画面１１から入力された供給先登録情報に含まれる灯外内管の有無に関する情報を供給管テーブル１２に登録する供給管登録処理・灯外内管登録処理Ｓ１０１、供給管材質登録画面１３から入力された供給先登録情報に含まれる埋設白ガス内管の有無に関する情報を供給管材質テーブル１４に登録する供給管材質登録処理Ｓ１０２などの各処理機能を実現する構成となっている。
【００２６】
改善折衝情報管理部２０は、第２画面である折衝計画作成画面・折衝履歴登録画面２１、第２テーブルのうちの第２Ａテーブルである建物テーブル（優先順位）２２、第２テーブルのうちの第２Ｂテーブルである折衝履歴テーブル２３などを含み、さらに、折衝計画作成画面・折衝履歴登録画面２１から入力された改善折衝計画に関する情報を建物テーブル（優先順位）２２に登録する折衝計画作成処理Ｓ２０１、折衝計画作成画面・折衝履歴登録画面２１から入力された折衝履歴に関する情報を折衝履歴テーブル２３に登録する折衝履歴登録処理Ｓ２０２などの各処理機能を実現する構成となっている。
【００２７】
進捗情報管理部３０は、第３画面である月別白ガス内管改善進捗状況一覧表照会画面３１、紙媒体への出力装置である印刷機３２などを含み、さらに、供給管テーブル１２に登録された灯外内管の有無に関する情報と、供給管材質テーブル１４に登録された埋設白ガス内管の有無に関する情報と、建物テーブル（優先順位）２２に登録された改善折衝計画に関する情報と、折衝履歴テーブル２３に登録された折衝履歴に関する情報とに基づいて、埋設白ガス内管の内管本数、改善済み・改善未の状況、および改善折衝計画に対する進捗の状態を表示する進捗報告書作成処理Ｓ３０１などの処理機能を実行する構成となっている。
【００２８】
この埋設白ガス内管の管理システム１は、例えば情報処理装置上で稼働し、その場合に、ＣＰＵおよび各種メモリや周辺機器などのハードウェアを含むクライアントコンピュータ上において、ＣＰＵの制御により、プログラム格納用のメモリに記憶されている供給先登録情報管理用プログラム、改善折衝情報管理用プログラム、進捗情報管理用プログラムを実行することで、供給先登録情報管理部１０、改善折衝情報管理部２０、進捗情報管理部３０を実現することができる。また、供給管テーブル１２、供給管材質テーブル１４、建物テーブル（優先順位）２２、折衝履歴テーブル２３は、データ格納用のメモリ上に実現することができる。
【００２９】
なお、この埋設白ガス内管の管理システム１は、供給先登録情報管理部１０、改善折衝情報管理部２０、進捗情報管理部３０をそれぞれ、個別のコンピュータ上で実現することなども可能であり、この場合にはそれぞれをネットワークを介して接続することで実現することができる。
【００３０】
また、供給先登録情報管理部１０に含まれる供給管登録画面・灯外内管登録画面１１と供給管材質登録画面１３、改善折衝情報管理部２０に含まれる折衝計画作成画面・折衝履歴登録画面２１、進捗情報管理部３０に含まれる月別白ガス内管改善進捗状況一覧表照会画面３１を、１つの画面で切り換えることなども可能である。また、供給先登録情報管理部１０に含まれる供給管テーブル１２と供給管材質テーブル１４、改善折衝情報管理部２０に含まれる建物テーブル（優先順位）２２と折衝履歴テーブル２３を、１つのテーブルにまとめることなども可能である。
【００３１】
以上のように構成される埋設白ガス内管の管理システム１による管理方法における処理は、以下の通りである。
【００３２】
操作者は、クライアントコンピュータ上において、供給先登録情報管理部１０における供給管登録画面・灯外内管登録画面１１から、供給管登録処理・灯外内管登録処理Ｓ１０１により、供給先の供給管テーブル１２に内管情報（供給管情報、灯外内管情報）を登録する。この供給管登録処理・灯外内管登録処理Ｓ１０１では、供給先登録情報管理部１０の処理機能により、供給管登録画面・灯外内管登録画面１１から入力された埋設白ガス内管の内管情報を供給管テーブル１２に登録する。この供給先の供給管テーブル１２は、建物管理情報を管理し、あわせて供給管の管種・材質も登録管理している。
【００３３】
また、操作者は、供給先登録情報管理部１０における供給管材質登録画面１３から、供給管材質登録処理Ｓ１０２により、供給管の管種・材質の変更を行い、供給管材質テーブル１４へ登録するとともに、供給管テーブル１２にも供給管の管種・材質の変更情報を登録する。この供給管材質登録処理Ｓ１０２では、供給先登録情報管理部１０の処理機能により、供給管材質登録画面１３から入力された供給管の管種・材質の変更情報を供給管材質テーブル１４および供給管テーブル１２に登録する。
【００３４】
また、供給先の供給管は、老朽化などによる点検と保守が必要であり、定期的に巡回して状況を確認し、その内容を巡回履歴管理とともに、改善折衝記録として登録する。この場合に、操作者は、クライアントコンピュータ上において、改善折衝情報管理部２０における折衝計画作成画面・折衝履歴登録画面２１から、折衝計画作成処理Ｓ２０１により、改善折衝計画を作成し、建物テーブル（優先順位）２２に、改善折衝計画の登録として、改善の有無と優先順位を登録する。この折衝計画作成処理Ｓ２０１では、改善折衝情報管理部２０の処理機能により、折衝計画作成画面・折衝履歴登録画面２１で改善折衝計画を作成し、この作成した改善折衝計画を建物テーブル（優先順位）２２に登録する。
【００３５】
また、保安の定期点検、定期巡回、改善工事状況から、操作者は、改善折衝情報管理部２０における折衝計画作成画面・折衝履歴登録画面２１から、折衝履歴登録処理Ｓ２０２により、折衝履歴テーブル２３に折衝履歴情報を登録する。この折衝履歴登録処理Ｓ２０２では、改善折衝情報管理部２０の処理機能により、折衝計画作成画面・折衝履歴登録画面２１から入力された折衝履歴情報を折衝履歴テーブル２３に登録する。
【００３６】
そして、操作者は、クライアントコンピュータ上において、進捗情報管理部３０における月別白ガス内管改善進捗状況一覧表照会画面３１において、上記のように供給先登録情報管理部１０の各処理により登録された供給管テーブル１２の情報、改善折衝情報管理部２０の各処理により登録された建物テーブル（優先順位）２２および折衝履歴テーブル２３の情報に基づいて、進捗報告書作成処理Ｓ３０１により、進捗報告書を作成し、この作成した進捗報告書を表示する。すなわち、進捗報告書として、供給先で管理している建物情報と、内管で管理している内管の折衝履歴をもとに、埋設白ガス内管の内管本数、および改善済み・改善未の状況、および計画に対する進捗の状態を表示する。その表示内容は、進捗報告書として、印刷機３２により紙媒体に出力する。
【００３７】
以上の処理により、今まで建物単位に内管を管理しており、進捗管理は建物単位であったものを、埋設白ガス内管における建物で管理している管と、折衝履歴で管理している管による連携によって管単位での管理が可能となる。また、一元管理により、建物ごとの管理に比べて作業時間の削減につながる。
【００３８】
＜月別白ガス内管改善進捗状況一覧表照会画面の表示内容＞
次に、月別白ガス内管改善進捗状況一覧表照会画面３１の表示内容について説明する。月別白ガス内管改善進捗状況一覧表照会画面３１の表示内容は、建物区分ごとに、改善対策完了・未対策の管数を表示する。改善対策完了・未対策の抽出条件は、図２〜図１０に示す通りである。
【００３９】
図２は、埋設白ガス内管の『未対策白ガス管』対象条件を示している。条件は項番１と項番２はＯＲ条件で対象を決める。図２の例では、項番１は、『未対策白ガス管』対象条件が“条件１  ＡＮＤ  条件２”で、対処は“未対策の対象とする”ものである。項番２は、『未対策白ガス管』対象条件が“条件１  ＡＮＤ  条件３”で、対処は“未対策の対象とする”ものである。項番３は、『未対策白ガス管』対象条件が“上記以外”で、対処は“未対策としない”ものである。
【００４０】
図３は、埋設白ガス内管の『未対策白ガス管』対象条件の内訳で、条件１の内容を示す。図３の例では、供給先の撤去区分（ブランク、撤去２〜８）と供給管の撤去区分（ブランク、撤去４〜８）との対応を、対象とする場合に“○”、非対象とする場合を“×”で示している。対象となるのは、供給先の撤去区分がブランク、撤去２〜５で、供給管の撤去区分がブランクの区分である。
【００４１】
図４は、埋設白ガス内管の『未対策白ガス管』対象条件の内訳で、条件２の内容を示す。図４の例では、供給管（灯外内管）の管種・材質を示している。この管種・材質には、７  ＳＧＰ（確認）、８  ＳＧＰ溶接（確認）、Ｇ  ＳＧＰ（推定）、Ｈ  ＳＧＰ溶接（推定）、Ｘ  推定不能があり、そのいずれかが条件の対象となる。
【００４２】
図５は、埋設白ガス内管の『未対策白ガス管』対象条件の内訳で、条件３の内容を示す。図５の例では、管種・材質（ブランク、１  ＰＥＰ（確認）、２  ＰＬＳ（確認）、３  ＰＬＰ（確認）、４  ＰＬＰネジ（確認）、５  ＳＧＰ防食テープ（確認）、６  ＳＧＰ更生修理（確認）、７  ＳＧＰ（確認）、８  ＳＧＰ溶接（確認）、９  その他（確認）、Ａ  ＰＥＰ（推定）、Ｂ  ＰＬＳ（推定）、Ｃ  ＰＬＰ（推定）、Ｄ  ＰＬＰネジ（推定）、Ｅ  ＳＧＰ防食テープ（推定）、Ｆ  ＳＧＰ更生修理（推定）、Ｇ  ＳＧＰ（推定）、Ｈ  ＳＧＰ溶接（推定）、Ｉ  その他（推定）、Ｘ  推定不能）と管区分（ブランク、埋設部＋露出部、露出部、埋設部）との対応を、対象とする場合に“○”、非対象とする場合を“×”で示している。対象となるのは、管種・材質が７  ＳＧＰ（確認）、８  ＳＧＰ溶接（確認）、Ｇ  ＳＧＰ（推定）、Ｈ  ＳＧＰ溶接（推定）、Ｘ  推定不能で、管区分がブランク、埋設部の区分である。
【００４３】
図６は、埋設白ガス内管の『対策済白ガス管』対象条件を示している。条件は項番１と項番２はＯＲ条件で対象を決める。図６の例では、項番１は、『対策済白ガス管』対象条件が“条件０  ＡＮＤ  条件１  ＡＮＤ  条件２”で、対処は“対策の対象とする”ものである。項番２は、『対策済白ガス管』対象条件が“条件０  ＡＮＤ  条件１  ＡＮＤ  条件３”で、対処は“対策の対象とする”ものである。項番３は、『対策済白ガス管』対象条件が“上記以外”で、対処は“対策としない”ものである。
【００４４】
図７は、埋設白ガス内管の『対策済白ガス管』対象条件の内訳で、条件０の内容を示す。図７の例では、項番１は、条件１の条件が“『未対策白ガス管』対象条件に該当しない”で、対処は“対策の対象とする”ものである。
【００４５】
図８は、埋設白ガス内管の『対策済白ガス管』対象条件の内訳で、条件１の内容を示す。図８の例では、供給先の撤去区分（ブランク、撤去２〜８）と供給管の撤去区分（ブランク、撤去４〜８）との対応を、対象とする場合に“○”、非対象とする場合を“×”で示している。対象となるのは、供給先の撤去区分がブランク、撤去２〜５で、供給管の撤去区分がブランクの区分である。
【００４６】
図９は、埋設白ガス内管の『対策済白ガス管』対象条件の内訳で、条件２の内容を示す。図９の例では、供給管（灯外内管）の管種・材質を示している。この管種・材質には、５  ＳＧＰ防食テープ（確認）、６  ＳＧＰ更生修理（確認）、Ｅ  ＳＧＰ防食テープ（推定）、Ｆ  ＳＧＰ更生修理（推定）があり、そのいずれかが条件の対象となる。
【００４７】
図１０は、埋設白ガス内管の『対策済白ガス管』対象条件の内訳で、条件３の内容を示す。図１０の例では、管種・材質（ブランク、１  ＰＥＰ（確認）、２  ＰＬＳ（確認）、３  ＰＬＰ（確認）、４  ＰＬＰネジ（確認）、５  ＳＧＰ防食テープ（確認）、６  ＳＧＰ更生修理（確認）、７  ＳＧＰ（確認）、８  ＳＧＰ溶接（確認）、９  その他（確認）、Ａ  ＰＥＰ（推定）、Ｂ  ＰＬＳ（推定）、Ｃ  ＰＬＰ（推定）、Ｄ  ＰＬＰネジ（推定）、Ｅ  ＳＧＰ防食テープ（推定）、Ｆ  ＳＧＰ更生修理（推定）、Ｇ  ＳＧＰ（推定）、Ｈ  ＳＧＰ溶接（推定）、Ｉ  その他（推定）、Ｘ  推定不能）と管区分（ブランク、埋設部＋露出部、露出部、埋設部）との対応を、対象とする場合に“○”、非対象とする場合を“×”で示している。対象となるのは、管種・材質が５  ＳＧＰ防食テープ（確認）、６  ＳＧＰ更生修理（確認）、Ｅ  ＳＧＰ防食テープ（推定）、Ｆ  ＳＧＰ更生修理（推定）で、管区分がブランク、埋設部の区分である。
【００４８】
以上の図２〜図１０に示す改善対策完了・未対策の抽出条件で、月別白ガス内管改善進捗状況一覧表照会画面３１に、建物区分ごとに、改善対策完了・未対策の管数を表示することができる。
【００４９】
＜本実施形態の効果＞
以上説明した本実施形態における埋設白ガス内管の管理システム１および管理方法ならびに管理プログラムによれば、供給先登録情報管理部１０、改善折衝情報管理部２０、及び、進捗情報管理部３０を有する構成により、埋設白ガス内管の改善状況をマクロ（ガス事業者全体の状況）とミクロ（個別の供給管の状況）の双方がリアルタイムで把握できるようになる。これにより、改善折衝中の物件が明確になることにより、ガス事業者としてのｔｏ  ｄｏを明確にすることができる。ひいては、ガス漏れのリスクが回避でき、消費者の安全性確保に寄与することができる。
【００５０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００５１】
本発明は、ガス事業業務における埋設白ガス管の管理技術に関し、特に、埋設白ガス内管を管理するためのシステムおよび方法ならびにプログラムに利用可能である。
【符号の説明】
【００５２】
１…埋設白ガス内管の管理システム、
１０…供給先登録情報管理部、１１…供給管登録画面・灯外内管登録画面、１２…供給管テーブル、１３…供給管材質登録画面、１４…供給管材質テーブル、Ｓ１０１…供給管登録処理・灯外内管登録処理、Ｓ１０２…供給管材質登録処理、
２０…改善折衝情報管理部、２１…折衝計画作成画面・折衝履歴登録画面、２２…建物テーブル（優先順位）、２３…折衝履歴テーブル、Ｓ２０１…折衝計画作成処理、Ｓ２０２…折衝履歴登録処理、
３０…進捗情報管理部、３１…月別白ガス内管改善進捗状況一覧表照会画面、３２…印刷機、Ｓ３０１…進捗報告書作成処理。
【図１】
2012093937.tif 000003
【図２】
2012093937.tif 000004
【図３】
2012093937.tif 000005
【図４】
2012093937.tif 000006
【図５】
2012093937.tif 000007
【図６】
2012093937.tif 000008
【図７】
2012093937.tif 000009
【図８】
2012093937.tif 000010
【図９】
2012093937.tif 000011
【図１０】
2012093937.tif 000012